(57)【特許請求の範囲】
【請求項１】
略水平方向に延在して設けられ縦長の袋体を垂直方向に起立させた状態で袋体の底部が載置される第１袋体載置部と、該第１袋体載置部の一側方より略垂直方向に延在して設けられ縦長の袋体を水平方向に倒した状態で袋体の側部が載置される第２袋体載置部と、該第２袋体載置部の上方に設けられた転回用把持部と、前記第２袋体載置部の一側方に設けられ前記第１袋体載置部および前記第２袋体載置部を略９０度転回可能とする転回用弧状部を備えた本体部とを有し、前記転回用弧状部の最下部付近には車輪が設けられると共に、転回後の前記第２袋体載置部の高さを構成する前記本体部の幅は人の腰の高さ程度であることを特徴とする袋体転回具。
【発明の詳細な説明】
【技術分野】
【０００１】
本発明は、米袋等の袋体を略９０度転回するための袋体転回具に関するものである。
【背景技術】
【０００２】
例えば米袋などの袋は横寸法に比して縦寸法が長く米を収容すると相当な重量物になる。このような縦長の重量物を人力で保持する場合、縦長に立てた状態で持ち上げると身体に負担が大きいため、横倒しにした状態で抱えられることが望ましい。
このような重量物を略９０度転回するための装置としては、例えば特開２００２−２９４５号公報の「袋体の方向転換装置」などが提案されている。
【０００３】
しかし、この種の装置は大がかりなものとなって、大きな占有スペースを要し、かつ極めて高価なものとなっていた。
【特許文献１】特開２００２−２９４５号公報
【発明の開示】
【発明が解決しようとする課題】
【０００４】
そこで、本発明の課題は、米袋等の袋体を簡単な操作で略９０度転回することができ、小型で占有スペースも小さく軽量で低廉に製作できる袋体転回具を提供することにある。
【課題を解決するための手段】
【０００５】
上記課題を解決するものは、略水平方向に延在して設けられ縦長の袋体を垂直方向に起立させた状態で袋体の底部が載置される第１袋体載置部と、該第１袋体載置部の一側方より略垂直方向に延在して設けられ縦長の袋体を水平方向に倒した状態で袋体の側部が載置される第２袋体載置部と、該第２袋体載置部の上方に設けられた転回用把持部と、前記第２袋体載置部の一側方に設けられ前記第１袋体載置部および前記第２袋体載置部を略９０度転回可能とする転回用弧状部を備えた本体部とを有し、前記転回用弧状部の最下部付近には車輪が設けられると共に、転回後の前記第２袋体載置部の高さを構成する前記本体部の幅は人の腰の高さ程度であることを特徴とする袋体転回具である。
【発明の効果】
【０００６】
請求項１に記載の発明によれば、米袋等の袋体を簡単な操作で略９０度転回することができ、小型で占有スペースも小さく、軽量で低廉に製作可能な袋体転回具となる。また、転回をより小さな力で行うことができると共に、袋体転回具を必要な場所に容易に移動できる。さらに、横倒しの袋体を抱える際にも特に深く屈むことなく身体への負担がより小さい。
【発明を実施するための最良の形態】
【０００７】
本発明は、米袋等の袋体を簡単な操作で略９０度転回することができ、小型で占有スペースも小さく、低廉に製作できる袋体転回具を実現した。
【実施例１】
【０００８】
図１は本発明の袋体転回具の一実施例の斜視図であり、図２は図１に示した袋体転回具の正面図であり、図３は図１に示した袋体転回具の右側面図であり、図４は図１に示した袋体転回具の平面図であり、図５または図６は図１に示した袋体転回具の作用を説明するための説明図である。
【０００９】
この実施例の袋体転回具１は、図１に示すように、略水平方向に延在して設けられ袋体を載置するための第１袋体載置部２と、第１袋体載置部２の一側方より略垂直方向に延在して設けられた第２袋体載置部３と、第２袋体載置部３の上部に設けられた転回用把持部４と、第２袋体載置部３の一側方に設けられ第１袋体載置部２および第２袋体載置部３を略９０度転回可能とする転回用弧状部５を備えた本体部６とを有し、転回用弧状部５の下部付近には車輪７が設けられている。以下、各構成について順次詳述する。
【００１０】
第１袋体載置部２は、縦長の袋体を垂直方向に起立させた状態（図５の状態）で袋体の底部を載置する部位であり、図２に示すように、略水平方向に延在して設けられている。具体的には、第１袋体載置部２は、図１または図４に示すように、略水平方向に延在するように配された第一板状体８と、この第一板状体８を上部に取り付けるための略Ｕ字型フレーム９とから構成されている。具体的には、この略Ｕ字型フレーム９は本体部６の下部より水平方向に延在するように形成されている。
【００１１】
第２袋体載置部３は、縦長の袋体を水平方向に倒した状態（図６の状態）で袋体の側部が載置される部位であり、図２に示すように、第１袋体載置部２の一側方（本体部６側）より略垂直方向に延在して設けられている。具体的には、第２袋体載置部３は、図１または図３に示すように、略垂直方向に延在するように配された第二板状体１０と、この第二板状体１０を側部に取り付けるための２本の起立フレーム１１ａ，１１ｂとから構成されている。
【００１２】
転回用把持部４は、袋体転回具１を略９０度転回する際に把持する部位であり、図１または図３に示すように、第２袋体載置部３の上部に設けられ、起立フレーム１１と一体に形成されたコの字型フレームにて構成されている。なお、このコの字型フレームの上端には、袋体転回具１を略９０度転回した際に、その勢いで袋体が水平方向に移動しすぎて落下しないように係止するための袋体係止部１３が設けられている。具体的には、この袋体係止部１３は、図４に示すように水平方向に延在するコの字状フレームにて形成されている。
【００１３】
本体部６は、第２袋体載置部３の一側方に設けられ第１袋体載置部２および第２袋体載置部３を略９０度転回可能とする部位であり、図１に示すように、転回用弧状部５を備えた転回用フレーム１４ａ，１４ｂと、転回用フレーム１４ａ，１４ｂを第１袋体載置部２および第２袋体載置部３の幅方向の間隔を保持した状態で連結する上部フレーム１５と、中央部に十字状に配された補強体１６ａ，１６ｂとを有している。
【００１４】
具体的には、転回用フレーム１４ａ，１４ｂは、図１または図２に示すように、十字状に配された補強体１６の交差部を中心点とした円弧（中心角略９０度の円弧）からなる転回用弧状部５を有し、その一端側が水平方向に延在して前述した略Ｕ字型フレーム９と一体に構成されている。このように、袋体転回具１は、本体部６の一端側（第１袋体載置部２および第２袋体載置部３が配されている側と反対側）下部にこの転回用弧状部５を有しているため転回可能となっている。
【００１５】
他方、転回用弧状部５の他端側は垂直方向に延在して上部フレーム１５と連結している。また、転回用フレーム１４ａ，１４ｂの他端側は上部フレーム１５を超えてさらに垂直方向に延在し、上端で水平方向外側にそれぞれ延出して本体把持部１７ａ，１７ｂを構成している。この本体把持部１７ａ，１７ｂは、第１袋体載置部２および第２袋体載置部３を略９０度転回する際に、転回用把持部４と共に把持する部位である。また、この本体把持部１７ａ，１７ｂは、図６に示すように、転回した後の状態を安定して保持するための部位でもある。さらに、この本体把持部１７ａ，１７ｂは、袋体転回具１を所要の場所に移動させる際に把持する部位でもある。
【００１６】
上部フレーム１５は、図１に示すように、転回用フレーム１４ａ，１４ｂの間に設けられ、これら転回用フレーム１４ａ，１４ｂの間隔を保持するための間隔保持用フレーム１５ａと、間隔保持用フレーム１５ａと直交する方向に延在し、一端側が転回用フレーム１４ａ，１４ｂに連結され他端側が起立フレーム１１ａ，１１ｂに連結された水平フレーム１５ｂ，１５ｃとから構成されている。
【００１７】
そして、転回用弧状部５（具体的には転回用弧状部５の最下部）の下部付近には車輪７が設けられている。この車輪７は、図４に示すように、転回用フレーム１４ａ，１４ｂを横断するように配された車軸１８が転回用フレーム１４ａ，１４ｂの下部に固定され、車軸１８の両端に回動可能に取り付けられている。また、図１または図２に示すように、略Ｕ字型フレーム９の先端付近には、車輪７を配した本体部６と同一の高さを保持するための支持脚１９ａ，１９ｂが下方に向かって延出して設けられている。袋体転回具１がこのような車輪７を有することにより、第１袋体載置部２および第２袋体載置部３を略９０度転回する際に、車輪７を支点とし車輪７の円弧を利用して回転させることで転回をより小さな力で行うことができる。また、本体把持部１７ａ，１７ｂを両手で把持して本体部６を傾斜させ支持脚１９ａ，１９ｂを浮かせた状態とすれば、この車輪７により袋体転回具１を必要な場所に容易に移動することもできる。
【００１８】
補強体１６ａ，１６ｂは、本体部６を補強するための部位であり、本体部６の中央部に十字状に配されている。この補強体１６ａ，１６ｂのうち、水平方向に延在するフレームの一端は転回用弧状部５の最上部付近に連結され、他端は起立フレーム１１ａ，１１ｂに連結されている。また、この補強体１６ａ，１６ｂのうち、垂直方向に延在するフレームの上端は水平フレーム１５ｂ，１５ｃに連結され、下端は転回用弧状部５の最下部付近に連結されている。
【００１９】
また、本体部６の幅（補強体１６ａ，１６ｂのうち、水平方向に延在するフレームの長さと略同じであり、厳密には本体把持部１７ａ，１７ｂと起立フレーム１１ａ，１１ｂとの距離）は、転回後の第２袋体載置部３の高さを構成するため、この幅が人の腰の高さ程度であることが好ましい。これにより、特に深く屈むことなく横倒しの袋体を抱えることができ、身体への負担がより小さくなる。
【００２０】
なお、上記各種フレームや補強体を形成する材料としては、金属製パイプや金属製棒状体などが好適に使用でき、各種板状体を形成する材料としては、樹脂製材料、木製材料または金属製材料などが好適に使用できる。このように、この実施例の袋体転回具１は、フレームや補強体などの骨組みと板状体のみから構成でき、軽量かつ小型で占有スペースも小さく、極めて低廉に製作できる。また、この実施例の袋体転回具１は、第１袋体載置部２および第２袋体載置部３に板状体を有しているが、袋体を載置可能であればフレームや補強体など骨組みのみからなるものも本発明の範疇に包含され、より軽量かつ低廉に製作できる。
【００２１】
つぎに、袋体転回具１の作用を図５または図６に示した使用例を用いて説明する。
この使用例は、計量器の米袋載置台２０に置かれた米袋Ｗを袋体転回具１によって横倒しする場合を示している。
まず、本体把持部１７ａ，１７ｂを両手で把持して本体部６を傾斜させ支持脚１９ａ，１９ｂを浮かせた状態で、図５に示すように、計量器の米袋載置台２０付近に袋体転回具１を移動させる。つぎに、計量器の米袋載置台２０に置かれた米袋ＷをＨ方向に降下させ、第１袋体載置部２上に載置する。そして、片手で本体把持部１７ａを把持し他方の手で転回用把持部４を把持してＫ方向（反時計回り）に袋体転回具１を転回させる。この時、袋体転回具１は車輪７を支点として転回するが、車輪７の外周（円弧）によってより容易に転回することができ、さらに、転回用弧状部５が最下部から順次接地して袋体転回具１は略９０度転回する。この転回した状態が図６に示された状態である。この状態では、米袋ＷはＮ方向に移動して縦長で起立状態にあった米袋Ｗが横倒しとなった状態となる。横倒しとなった米袋Ｗは、使用者の腰付近に位置するため、両手で容易に抱えることができ、後の処理のための場所（例えば積載所）などに容易に移動することができる。逆に、図６の状態において、片手で転回用把持部４を把持し他方の手で略Ｕ字型フレーム９の先端部を把持して時計回りに袋体転回具１を転回させれば、横倒しの状態の米袋を縦長の起立状態にすることもできる。
【００２２】
以上のように、本発明の袋体転回具は、小型で占有スペースも小さく軽量で低廉に製作できると共に、米袋等の袋体を簡単な操作で略９０度転回することができ、重量物となった袋体を持ち上げる際の身体への負担を著しく低減でき、袋体重量物の取り扱いが極めて容易なものとなる。
【図面の簡単な説明】
【００２３】
【図１】本発明の袋体転回具の一実施例の斜視図である。
【図２】図１に示した袋体転回具の正面図である。
【図３】図１に示した袋体転回具の右側面図である。
【図４】図１に示した袋体転回具の平面図である。
【図５】図１に示した袋体転回具の作用を説明するための説明図である。
【図６】図１に示した袋体転回具の作用を説明するための説明図である。
【符号の説明】
【００２４】
１      袋体転回具
２      第１袋体載置部
３      第２袋体載置部
４      転回用把持部
５      転回用弧状部
６      本体部
７      車輪
８      第一板状体
９      略Ｕ字型フレーム
１０    第二板状体
１１ａ  起立フレーム
１１ｂ  起立フレーム
１３    袋体係止部
１４ａ  転回用フレーム
１４ｂ  転回用フレーム
１５    上部フレーム
１５ａ  間隔保持用フレーム
１５ｂ  水平フレーム
１５ｃ  水平フレーム
１６ａ  補強体
１６ｂ  補強体  
１７ａ  本体把持部
１７ｂ  本体把持部  
１８    車軸
１９ａ  支持脚
１９ｂ  支持脚
【図１】
0004656590.tif 000002
【図２】
0004656590.tif 000003
【図３】
0004656590.tif 000004
【図４】
0004656590.tif 000005
【図５】
0004656590.tif 000006
【図６】
0004656590.tif 000007